(57)【特許請求の範囲】
【請求項１】
遊技媒体を払出可能な払出装置を設けた本体枠と、前記本体枠に回動可能に軸支された前面枠と、を備え、
前記前面枠は、取付ベース部材を有し、
前記取付ベース部材の前面側には、前記払出装置から払い出された遊技媒体を貯留可能な受皿を設け、
前記取付ベース部材の裏面側には、
前記払出装置から払い出された遊技媒体を前記受皿へと誘導可能な誘導樋と、
前記前面枠を開放不能に施錠するための鍵ユニットと、
前記前面枠を軸支する蝶番を有する蝶番ユニットと、
を設けた遊技機において、
前記取付ベース部材の下部前面の起立面を覆う起立面被覆部と、前記誘導樋の出口の下縁より後方に向けて上り傾斜する傾斜面を覆う樋出口被覆部と、を有する第１プレート部材と、
前記受皿の底面を覆う底面被覆部と、前記受皿の後端面を覆う後端面被覆部と、を有する第２プレート部材と、
を備え、
前記第１プレート部材と前記第２プレート部材とを金属により形成し、
前記第１プレート部材の起立面被覆部と前記第２プレート部材の後端面被覆部とを当接させ、アース接続された前記鍵ユニット及び蝶番ユニットに止着部材を介して前記第１プレート部材を導通状態で取り付けるようにしたことを特徴とする遊技機。
【請求項２】
前記誘導樋は、前記前面枠の裏面側に突設された起立壁により形成される溝部の開口側を蓋部材で覆って構成し、
前記蓋部材の前面側の下部に溝を形成し、該溝に前記第１プレート部材の樋出口被覆部の端部を嵌入するようにしたことを特徴とする請求項１記載の遊技機。
【発明の詳細な説明】
【０００１】
【発明の属する技術分野】
本発明は、遊技媒体を払出可能な払出装置と、該払出装置から払い出された遊技媒体を貯留可能な受皿と、払出装置から払い出された遊技媒体を受皿へと誘導可能な誘導樋と、を備える遊技機に関する。
【０００２】
【従来の技術】
従来より、スロットマシン或いはパチスロと称される遊技機が知られている。この種の遊技機は、正面の表示窓内に複数の図柄を現した回転リール（ドラムリール）を複数配列することで構成される変動表示装置（或いは、リール上の図柄を画面に表示することで構成される変動表示装置）を有している。そして、遊技者のスタート操作（例えば、コイン等の遊技媒体を賭けた状態で、スタートレバーを操作すること）に基づいて、制御手段が変動表示装置を駆動して各リールを回転させ、一定時間後自動的に或いは遊技者の停止操作により各リールの回転を順次停止させ、そのときに表示窓内に現れた各リールの図柄が予め設定された有効ライン上において特定の組合せ態様となった場合に、コイン等の遊技媒体を払い出すことで遊技者に対して所定の遊技価値を付与可能となっている。遊技媒体を払い出す払出装置は、遊技機の内部に設けられ、この払出装置から払い出された遊技媒体は、誘導樋を流下して、遊技機前面側の下部に設けられた受皿へと誘導されるようになっている。
【０００３】
一般に、上記遊技機では、受皿の底面、受皿の奥側の起立面、誘導樋の床面（出口近傍）のそれぞれに、補強、装飾、静電気除去等の目的で、各面を覆う金属製のプレート部材が取り付けられている。
【０００４】
【発明が解決しようとする課題】
しかしながら、上記従来の遊技機では、プレート部材が各々別個の部材として構成されていたため、各プレート部材の組み付け作業に時間がかかるという問題点があった。
また、各プレート部材の間に隙間が生じ易く、その隙間にコイン等の遊技媒体が挟まる虞があった。また、その隙間に埃等の異物が入り込んだ場合、その異物を取り除き難いという問題点もあった。
【０００５】
この発明は、上記のような問題点を解決するためになされたもので、受皿や誘導樋を被覆する各プレート部材の組み付け作業が容易であると共に、各プレート部材の間に異物や遊技媒体が挟まることを低減可能とし、静電気が蓄積され難くなる遊技機を提供することを目的とする。
【０００６】
【課題を解決するための手段】
上記課題を解決するため、請求項１記載の発明は、
遊技媒体を払出可能な払出装置を設けた本体枠と、前記本体枠に回動可能に軸支された前面枠と、を備え、
前記前面枠は、取付ベース部材を有し、
前記取付ベース部材の前面側には、前記払出装置から払い出された遊技媒体を貯留可能な受皿を設け、
前記取付ベース部材の裏面側には、
前記払出装置から払い出された遊技媒体を前記受皿へと誘導可能な誘導樋と、
前記前面枠を開放不能に施錠するための鍵ユニットと、
前記前面枠を軸支する蝶番を有する蝶番ユニットと、
を設けた遊技機において、
前記取付ベース部材の下部前面の起立面を覆う起立面被覆部と、前記誘導樋の出口の下縁より後方に向けて上り傾斜する傾斜面を覆う樋出口被覆部と、を有する第１プレート部材と、
前記受皿の底面を覆う底面被覆部と、前記受皿の後端面を覆う後端面被覆部と、を有する第２プレート部材と、
を備え、
前記第１プレート部材と前記第２プレート部材とを金属により形成し、
前記第１プレート部材の起立面被覆部と前記第２プレート部材の後端面被覆部とを当接させ、アース接続された前記鍵ユニット及び蝶番ユニットに止着部材を介して前記第１プレート部材を導通状態で取り付けるようにしたことを特徴としている。
【０００７】
この請求項１記載の発明によれば、第１プレート部材と前記第２プレート部材とを金属により形成し、第１プレート部材の起立面被覆部と第２プレート部材の後端面被覆部とを当接させ、アース接続された鍵ユニット及び蝶番ユニットに止着部材を介して第１プレート部材を導通状態で取り付けるようにしたので、第１プレート部材及び第２プレート部材は、それぞれアース接続された状態となり、静電気が蓄積され難くなる。
また、プレート部材の組み付け作業が容易となり、遊技機の製造時間が短縮される。
さらに、一体構成したプレート部材間に隙間が生じなくなるので、各プレート部材間に遊技媒体や異物が挟まることを低減できる。
【０００８】
ここで、遊技機には、例えば、パチスロ遊技機或いはスロットマシーンなど、遊技媒体にコインを用いる遊技機が含まれる他、例えば、パチンコ遊技機、アレンジボール遊技機、雀球遊技機など、遊技媒体に球を用いる弾球遊技機も含まれる。
また、第１プレート部材、第２プレート部材としては、例えば、硬質の板状部材（例えば、金属、合成樹脂等からなる板状部材）が含まれる他、軟質のシート部材（例えば、ゴム、ビニールなどからなるシート部材）も含まれるものとする。また、各プレート部材の用途としては、例えば、装飾用、補強用、保護用、静電気除去用、衝撃吸収用、防音用など、どのような用途であっても良い。
【０００９】
請求項２記載の発明は、請求項１記載の遊技機において、
前記誘導樋は、前記前面枠の裏面側に突設された起立壁により形成される溝部の開口側を蓋部材で覆って構成し、前記蓋部材の前面側の下部に溝を形成し、該溝に前記第１プレート部材の樋出口被覆部の端部を嵌入するようにしたことを特徴としている。
【００１０】
この請求項２記載の発明によれば、誘導樋の蓋部材の前面側の下部に、第１プレート部材の樋出口被覆部の端部を嵌入するための溝を形成し、この溝に樋出口被覆部の端部を嵌入したので、第１プレート部材を誘導樋に対して位置決めすることができ、コインが挟まる虞のある隙間をなくすことができる。
【００１７】
【発明の実施の形態】
以下、この発明の実施の形態について、図１〜図６の図面を参照しながら説明する。
図１は、本発明に係る遊技機の一形態として例示するパチスロ遊技機を示す正面図である。図２は、図１のパチスロ遊技機の前面枠を開放した状態を示す斜視図である。
【００１８】
この実施の形態のパチスロ遊技機１００は、遊技媒体にコインを用いた遊技機であって、その本体枠１には、図２に示すように、前面枠２が左端を軸心として片開き形式に開閉自在に取り付けられている。
【００１９】
前面枠２の上半部には、図１に示すように、その開口部３ａを閉塞するようにして表示パネル３が取り付けられている。表示パネル３の背部には、図２に示すように、３個のドラムリール４ａ、４ｂ、４ｃが回転自在な状態で配置されており、表示パネル３のほぼ中央には、図１及び図２に示すように、各ドラムリール４ａ、４ｂ、４ｃの外周面に表記されている識別情報を３個ずつ視認可能とする透明なリール表示窓４が設けられている。
各ドラムリール４ａ、４ｂ、４ｃは、コインを賭けた（ベットした）状態でスタートレバー６（後述）が押圧されて所定時間経過するか、或いは対応するストップボタン７ａ、７ｂ、７ｃ（後述）の押圧により順次停止するようになっており、各ドラムリール４ａ、４ｂ、４ｃが停止した状態において、リール表示窓４を通して視認可能な表示領域（変動表示領域）における表示結果が予め設定された有効ライン（コインのベット数に対応した有効ライン）上において特定の識別情報の組合せ態様となった場合には、その組合せ態様に応じて所要数のコインが遊技者に対して付与される（払出装置２０よりコインが払い出されるか、或いはクレジットとして記憶される）ようになっている。
【００２０】
表示パネル３の上部には、ゲームの演出表示を行うゲーム演出表示部５が設けられている。一方、表示パネル３の下部には、コインの払出枚数を表示する払出枚数表示部８、ゲームの進行に関する表示を行うゲーム進行表示部１１、コインのクレジット枚数を表示するクレジット枚数表示部１２等が設けられている。表示パネル３の上方（前面枠２上部の隅角部）には、遊技に関わる各種報知或いは演出等を行う装飾ランプ１４ａ、１４ａ、１４ｂ、スピーカ１３，１３が配設されている。
【００２１】
前面枠２の下半部は、前面枠２の上半部より若干前方に突出するように構成されており、前面枠２の上半部と下半部とを繋ぐ傾斜面２２（前方に向けて緩やかに下り傾斜している面）には、ベットするコインを投入するコイン投入口（投入口）１５、コインのベット枚数（賭け枚数）を押圧回数によって設定可能な１ベットボタン１０、コインのベット枚数を限度枚数（例えば、３枚）に設定可能なマックスベットボタン９が配設されている。例えば、コイン投入口１５より所要数のコインを投入した状態或いは所要数のコインがクレジットされている状態で、１ベットボタン１０を１回押圧すれば、コインのベット数を１枚とすることができ、１ベットボタン１０を２回押圧すれば、コインのベット数を２枚とすることができる。また、マックスベットボタン９を１回押圧すれば、コインのベット数を限度枚数とすることができる。例えば、コインのベット数を１枚とした場合には、前述した有効ラインが１本（例えば、中段の横ライン）となり、コインのベット数を２枚とした場合には、有効ラインが３本（例えば、上段、中段、下段の横ライン）となり、コインのベット数を限度枚数とした場合には、有効ラインが５本（例えば、上段、中段、下段の横ライン、右上がり、左上がりの斜めライン）となる。
【００２２】
前面枠２の下半部には、矩形状の飾り板部１９（化粧パネル）が設けられ、この飾り板部１９の上方には、クレジットされたコインを返却するためのコイン返却スイッチ１８、前記変動表示領域における変動表示を開始する（つまり、各ドラムリール４ａ、４ｂ、４ｃの回転を開始する）ためのスタートレバー６、各々のドラムリール４ａ、４ｂ、４ｃの回転を停止させるためのストップボタン７ａ、７ｂ、７ｃ、前面枠２を開放不能に施錠する鍵ユニット６１（後述）の鍵穴１７、返却機構１６（後述）を作動させる返却ボタン１６ａ等が設けられている。
【００２３】
飾り板部１９の下方（前面枠２の下部）には、本体枠１に設置された払出装置２０（図２）より払い出されたコインを貯留可能な受皿３０や、灰皿２１などが設けられている。
【００２４】
図３は前面枠の背面図である。
【００２５】
表示パネル３の上部には、ゲーム演出表示部５がその後端部を後方に突出させた状態で設置されており、このゲーム演出表示部５の背部には、制御装置（図示省略）と各種電気部品（例えば、装飾ランプ１４ａ、１４ａ、１４ｂ、各表示部を構成するＬＥＤなど）とを中継する中継基板５ａが設置されている。
また、コイン投入口１５の背部には、コイン投入口１５より投入されたコインの詰まりを解消してコインを受皿３０へと返却するための返却機構１６が設置されており、この返却機構１６の下方には、返却機構１６より排出されたコインや払出装置２０から払い出されたコインを受皿３０へと流下案内する誘導樋５０が設けられている。
誘導樋５０は、図２及び図３に示すように、ベース部材６０Ｂの裏面側に突設された起立壁５１により形成される溝部５１ａ（図６）の開口側を、蓋部材５２で覆うことによって構成されており、返却機構１６より排出されたコインを受け入れる返却コイン受入口（受入口）５３と、払出装置２０から払い出されたコインを受け入れる払出コイン受入口５４とを有している。払出コイン受入口５４には、払出装置２０から誘導樋５０に流入するコインの流下勢を減衰させるための緩衝部材５５（例えば、ゴム等）が取り付けられている。
【００２６】
図４は前面枠の分解斜視図である。
【００２７】
前面枠２は、上下のベース部材６０Ａ、６０Ｂを結合してなる取付ベース部材６０を備えている。取付ベース部材６０の裏面側の一方の側部には、前面枠２を開放不能に施錠するための鍵ユニット６１が、上下のベース部材６０Ａ、６０Ｂに跨るようにして取り付けられ、他方の側部には、前面枠２を開閉自在に軸支するための蝶番６２ａ，６２ａを有する蝶番ユニット６２が、上下のベース部材６０Ａ、６０Ｂに跨るようにして取り付けられている。
ベース部材６０Ｂの上部には、取付基板６４を介して、前述した、１ベットボタン１０、マックスベットボタン９、コイン投入口１５、スタートレバー６、ストップボタン７ａ、７ｂ、７ｃが組み付けられている。
ベース部材６０Ｂの前面側中央には、飾り板部１９（化粧パネル）が着脱自在に取り付けられ、その左右両側には、ベース部材６０Ｂに設置された装飾ランプ６５，６５を覆うようにして、透光性を有する装飾部材６３，６３が取り付けられている。
ベース部材６０Ｂの前面側下部には、起立面プレート部材と樋出口プレート部材とを一体構成した部材として例示する金属製の第１のプレート部材３１が止着部材（例えば、ネジなど）により止着され、この第１のプレート部材３１の前面側には、受皿ユニット３０Ａが取り付けられている。また、ベース部材６０Ｂの下部には、誘導樋５０の出口となる矩形状の開口部６０ｃが設けられている。
【００２８】
図５は、図１の受皿を一部破断した斜視図、図６は、図１の矢印Ａ−Ａ線に沿った断面図である。
【００２９】
第１のプレート部材３１は、図４及び図５に示すように、上記開口部６０ｃを避けるようにしてベース部材６０Ｂの下部前面を覆う起立面被覆部３１ａと、誘導樋５０の出口近傍の床面（上記開口部６０ｃの下縁より後方に向けて上り傾斜する傾斜面５１ｂ（起立壁５１の一部））を覆う樋出口被覆部３１ｂとを備えている。
【００３０】
受皿ユニット３０Ａは、受皿３０を構成する凹状部３３と、灰皿２１とを備えている。この受皿ユニット３０Ａをベース部材６０Ｂに取り付けた状態において、凹状部３３の後側開口部３３ａが、図４に示すように、第１のプレート部材３１で被覆されたベース部材６０Ｂの起立面により閉塞されて、受皿３０が形成されるようになっている。つまり、受皿３０の奥側の起立面が、第１のプレート部材３１の起立面被覆部３１ａにより覆われた状態となっている。
また、凹状部３３の底面には、図６に示すように、プレート設置部３３ｂ（窪み）が設けられ、このプレート設置部３３ｂには、底面プレート部材として例示する断面略Ｌ字状で金属製の第２のプレート部材３２が、止着部材（例えば、ネジなど）により止着されている。
【００３１】
第２のプレート部材３２は、図５及び図６に示すように、受皿３０の底面を覆う底面被覆部３２ａと、受皿ユニット３０Ａの後端面を覆う後端面被覆部３２ｂとを備えている。この第２のプレート部材３２をプレート設置部３３ｂに設置した状態において、受皿３０の底面が、第２のプレート部材３２の底面被覆部３２ａに被覆される部分と、被覆されずに露出する部分とで面一となるように構成されている。また、第２のプレート部材３２は、受皿ユニット３０Ａに密着した状態で取り付けられるように、その底面被覆部３２ａと後端面被覆部３２ｂとのなす角度が、受皿３０の底面と後端面のなす角度より若干（２〜３度）小さくなるように設定されている。
【００３２】
また、第２のプレート部材３２は、図５及び図６に示すように、その後端面被覆部３２ｂが第１のプレート部材３１の起立面被覆部３１ａに当接している。また、第１のプレート部材３１は、図４に示すように、取付用のネジ６６，６６を介して、アース接続（接地）された鍵ユニット６１及び蝶番ユニット６２に導通状態で接続されている。即ち、第１のプレート部材３１（起立面被覆部３１ａ、樋出口被覆部３１ｂ）及び第２のプレート部材３２（底面被覆部３２ａ）は、それぞれアース接続された状態となっている。
また、図５及び図６に示すように、誘導樋５０の蓋部材５２の前面側の下部には、第１のプレート部材３１の樋出口被覆部３１ｂの端部を嵌入するための溝５２ａが形成されている。この溝５２ａに樋出口被覆部３１ｂの端部を嵌入した状態において、第１のプレート部材３１を誘導樋５０に対して位置決めすることができ、コインが挟まる虞のある隙間（コインが流れてくる方向に開口している隙間）をなくすことができる。
【００３３】
以上のように、この実施の形態のパチスロ遊技機１００によれば、受皿３０の奥側の起立面を覆う起立面プレート部材と、誘導樋５０の出口近傍の床面を覆う樋出口プレート部材とを一体構成した（つまり、第１のプレート部材３１に、起立面被覆部３１ａと樋出口被覆部３１ｂとを設けた）ので、部品点数を減らすことができる。
従って、上記起立面プレート部材と上記樋出口プレート部材とを別個に設ける場合に比べて、プレート部材の組み付け作業が容易となり、パチスロ遊技機１００の製造時間が短縮される。
また、上記起立面プレート部材と上記樋出口プレート部材の間に隙間が生じなくなり、これらプレート部材間にコインや異物が挟まることを防止できる。
【００３４】
また、樋出口被覆部３１ｂが誘導樋５０の出口近傍の床面（傾斜面５１ｂ）を覆うので、誘導樋５０の出口近傍の床面の強度が向上される。
また、第１のプレート部材３１（起立面プレート部材、樋出口プレート部材）及び第２のプレート部材３２（底面プレート部材）が金属により形成されてアース接続された状態となっているので、第１のプレート部材３１及び第２のプレート部材３２に静電気が蓄積され難くなる。
また、返却機構１６により返却されたコインが誘導樋５０によって受皿３０へと誘導されるので、返却機構１６により返却されたコインを受皿３０に誘導する流路を、別個に設ける必要がなくなり、遊技機裏面側のスペースを有効に活用できる。
【００３５】
なお、本発明はこの実施の形態のパチスロ遊技機１００に限られるものではなく、例えば、その他のパチスロ遊技機やスロットマシーン、或いはパチンコ遊技機、アレンジボール遊技機、雀球遊技機などの弾球遊技機にも適用可能である。また、この実施の形態では、受皿３０の奥側の起立面を覆う起立面プレート部材と、誘導樋５０の出口近傍の床面を覆う樋出口プレート部材とを一体構成したが、例えば、受皿３０の底面を覆う底面プレート部材と、上記起立面プレート部材とを一体構成したり、上記底面プレート部材と上記樋出口プレート部材とを一体構成したり、或いは上記起立面プレート部材、上記底面プレート部材、上記樋出口プレート部材すべてを一体構成したりすることも可能である。何れの場合も、本実施の形態と同様に、部品点数が減って各プレート部材の組み付け作業が容易となり、また、各プレート部材間にコインや異物が挟まることを低減できる。
また、この実施の形態では、第１のプレート部材３１の樋出口被覆部３１ｂが、誘導樋５０の出口近傍の床面（傾斜面５１ｂ）を覆う構成としたが、例えば、誘導樋５０の床面以外の内壁面を覆う構成とすることも可能である。
また、この実施の形態では、第１のプレート部材３１及び第２のプレート部材３２を止着部材で止着する構成としたが、これに限られるものではなく、各プレート部材３１、３２の取付方法は適宜に変更可能である。
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３６】
【発明の効果】
請求項１記載の発明によれば、第１プレート部材と前記第２プレート部材とを金属により形成し、第１プレート部材の起立面被覆部と第２プレート部材の後端面被覆部とを当接させ、アース接続された鍵ユニット及び蝶番ユニットに止着部材を介して第１プレート部材を導通状態で取り付けるようにしたので、第１プレート部材及び第２プレート部材は、それぞれアース接続された状態となり、静電気が蓄積され難くなる。
また、各被覆部の組み付け作業が容易となり、遊技機の製造時間が短縮される。
さらに、一体構成した被覆部間に隙間が生じなくなるので、各被覆部間に遊技媒体や異物が挟まることを低減できる。
【００３７】
請求項２記載の発明によれば、誘導樋の蓋部材の前面側の下部に、第１プレート部材の樋出口被覆部の端部を嵌入するための溝を形成し、この溝に樋出口被覆部の端部を嵌入したので、第１プレート部材を誘導樋に対して位置決めすることができ、コインが挟まる虞のある隙間をなくすことができる。
【図面の簡単な説明】
【図１】本発明に係る遊技機の一形態として例示するパチスロ遊技機を示す正面図である。
【図２】図１のパチスロ遊技機の前面枠を開放した状態を示す斜視図である。
【図３】図１の前面枠の背面図である。
【図４】図１の前面枠の分解斜視図である。
【図５】図１の受皿を一部破断した斜視図である。
【図６】図１の矢印Ａ−Ａ線に沿った断面図である。
【符号の説明】
１      本体枠
２      前面枠
１５    コイン投入口（投入口）
１６    返却機構
２０    払出装置
３０    受皿
３１    第１のプレート部材（起立面プレート部材、樋出口プレート部材）
３１ａ  起立面被覆部
３１ｂ  樋出口被覆部
３２    第２のプレート部材（底面プレート部材）
３２ａ  底面被覆部
３２ｂ  後端面被覆部
５０    誘導樋
５１    起立壁
５１ａ  溝部
５２    蓋部材
５２ａ  溝
６０    取付ベース
５３    返却コイン受入口（受入口）
６１    鍵ユニット
６２    蝶番ユニット
１００  パチスロ遊技機（遊技機）
【図１】
0003962529.tif 000002
【図２】
0003962529.tif 000003
【図３】
0003962529.tif 000004
【図４】
0003962529.tif 000005
【図５】
0003962529.tif 000006
【図６】
0003962529.tif 000007